(57)【要約】【課題】  中空のシャフトを効率良く洗浄することができる洗浄装置を提供すること。【解決手段】  本発明の洗浄装置１は、洗浄槽２と、洗浄槽の一端側に設けられ洗浄槽に中空シャフトＳを供給する供給機構４と、洗浄槽の一端部に供給された中空シャフトを洗浄槽の他端部に搬送する搬送機構６と、洗浄槽の他端側に設けられ洗浄槽で洗浄された中空シャフトを乾燥させる乾燥機構８とを備え、搬送機構が、洗浄槽の一端部と他端部との間に配置された無端の搬送ベルト１４と駆動機構とを備え、搬送ベルトが中空シャフトを受け入れる複数のシャフト受け部１６を備え、シャフト受け部が、搬送ベルトの駆動方向に沿って一定間隔で配置されている。【選択図】      図１
2006142164.tif 000002
【特許請求の範囲】
【請求項１】
洗浄水による前記中空シャフトの洗浄が行われる洗浄槽と、
前記洗浄槽の一端側に設けられ前記洗浄槽に前記中空シャフトを供給する供給機構と、
前記洗浄槽の一端部に供給された前記中空シャフトを前記洗浄槽の他端部に搬送する搬送機構と、
前記洗浄槽の他端側に設けられ前記洗浄槽で洗浄された前記中空シャフトを乾燥させる乾燥機構とを備え、
前記搬送機構が、前記洗浄槽の一端部と他端部との間に配置された無端の搬送ベルトと、該搬送ベルトを回転駆動させる駆動機構とを備え、
前記搬送ベルトが、前記中空シャフトを、該搬送ベルトの駆動方向に直交する方向に受け入れる複数のシャフト受け部を備え、該シャフト受け部が、前記搬送ベルトの駆動方向に沿って一定間隔で配置されている、
ことを特徴とする中空シャフトの洗浄装置。
【請求項２】
前記シャフト受け部が、前記中空シャフトを挟持する一対の立ち上がり部を備え、
前記シャフト受け部が、一のシャフト受け部に受け入れられた中空シャフトと、該一のシャフト受け部に隣接するシャフト受け部に受け入れられた中空シャフトとの間に間隔があけられるように、配置されている、
請求項１に記載の中空シャフトの洗浄装置。
【請求項３】
前記立ち上がり部が可撓性材料で構成されている、
請求項２に記載の中空シャフトの洗浄装置。
【請求項４】
前記駆動機構が前記搬送ベルトを間欠的に回転駆動させ、
前記供給機構が、洗浄前の前記中空シャフトを収容する収容部と、該収容部に収容されている洗浄前の中空シャフトを、前記駆動機構と同期して間欠的に前記搬送機構に送り出す送り出し手段を備えている、
請求項１ないし３のいずれか１項に記載の中空シャフトの洗浄装置。
【請求項５】
前記洗浄槽中に超音波を発生させる超音波発生手段と、
前記洗浄槽中で、前記搬送ベルトの搬送方向に直交する方向に流れる水流を発生させる水流発生手段と、を備えている、
請求項１ないし４のいずれか１項に記載の中空シャフトの洗浄装置。
【発明の詳細な説明】
【技術分野】
【０００１】
本発明は、中空シャフトの洗浄装置に関し、より詳細には、ゴルフクラブ用のシャフトのような両端が開放した中空シャフトの洗浄装置に関する。
【背景技術】
【０００２】
繊維強化樹脂製のゴルフクラブシャフト、釣り竿、バトミントンラケット用シャフト、自動車用ドライブシャフト、自転車用フレーム材、印刷機などに用いる工業機械用ロール、眼鏡フレーム材等の棒状部材、繊維強化樹脂組成物製のゴルフクラブシャフトに用いる中空のシャフトを製造する際には、強化繊維とマトリックス樹脂とで形成された複数枚のプリプレグシートを棒状のマンドレルの表面に積層状態で巻き付け、これを炉中で熱硬化させ、さらに、マンドレルを引き抜くことによって、両端が開放した中空のシャフトを得ている。（特許文献１参照）
【０００３】
このようにして製造された中空のシャフトは、所定の長さに切断し、さらに研磨した後、水洗によって切り粉、研磨粉を除去してから塗装工程に送られる。
【０００４】
【特許文献１】特開平６−１１４１３１号公報
【発明の開示】
【発明が解決しようとする課題】
【０００５】
上述した中空シャフトの水洗は、作業者が数十本のシャフトを束ねた状態で洗浄槽に入れ、もみ洗いし、その後、乾燥機に入れて熱風乾燥していた。
このような洗浄方法では、束の中心付近に位置するシャフトの洗浄が不十分になるという問題があった。一方、束にするシャフトの本数を減少させると、生産効率が落ちるという問題があった。さらに、中空となっているシャフトの内側の洗浄を十分に行うことができないという問題もあった。
【０００６】
本発明は、このような問題点に鑑みてなされたものであり、中空のシャフトを効率良く洗浄することができる洗浄装置を提供することを目的とする。
【課題を解決するための手段】
【０００７】
本発明によれば、洗浄液による前記中空シャフトの洗浄が行われる洗浄槽と、前記洗浄槽の一端側に設けられ前記洗浄槽に前記中空シャフトを供給する供給機構と、前記洗浄槽の一端部に供給された前記中空シャフトを前記洗浄槽の他端部に搬送する搬送機構と、前記洗浄槽の他端側に設けられ前記洗浄槽で洗浄された前記中空シャフトを乾燥させる乾燥機構とを備え、前記搬送機構が、前記洗浄槽の一端部と他端部との間に配置された無端の搬送ベルトと、該搬送ベルトを回転駆動させる駆動機構とを備え、前記搬送ベルトが、前記中空シャフトを、該搬送ベルトの駆動方向に直交する方向に受け入れる複数のシャフト受け部を備え、該シャフト受け部が、前記搬送ベルトの駆動方向に沿って一定間隔で配置されている、ことを特徴とする洗浄装置が提供される。
【０００８】
このような構成によれば、中空シャフトは、搬送ベルトのシャフト受け部に受け入れられて、搬送方向に直交して配置された状態で、洗浄槽中を搬送されるので、効率よく切り粉、研磨粉が除去される。
【０００９】
本発明の他の好ましい態様によれば、前記シャフト受け部が、前記中空シャフトを挟持する一対の立ち上がり部を備え、前記シャフト受け部が、一のシャフト受け部に受け入れられた中空シャフトと、該一のシャフト受け部に隣接するシャフト受け部に受け入れられた中空シャフトとの間に間隔があけられるように、配置されている。
【００１０】
このような構成によれば、洗浄中、中空シャフトとこれに連接する中空シャフトとの間に所定の空間が形成され、この空間を通って洗浄水が流れることができる。この結果、中空シャフトの外表面の洗浄が効率的に行われる。
【００１１】
本発明の他の好ましい態様によれば、前記立ち上がり部が可撓性材料で構成されている。このような構成によれば、シャフト受け部にシャフトを確実に受け入れられ且つシャフト受け部内で保持される。
【００１２】
本発明の他の好ましい態様によれば、前記駆動機構が前記搬送ベルトを間欠的に回転駆動させ、前記供給機構が、洗浄前の前記中空シャフトを収容する収容部と、該収容部に収容されている洗浄前の中空シャフトを、前記駆動機構と同期して間欠的に前記搬送機構に送り出す送り出し手段を備えている。
【００１３】
このような構成によれば、供給機構から中空シャフトが１本ずつ送り出され、その中空シャフトがシャフト受け部に確実に受け入れられる。
【００１４】
本発明の他の好ましい態様によれば、前記洗浄槽中に超音波を発生させる超音波発生手段と、前記洗浄槽中で、前記搬送ベルトの搬送方向に直交する方向に流れる水流を発生させる水流発生手段と、を備えている。
【００１５】
このような構成によれば、超音波により中空シャフトの外側面の洗浄が促進され、さらに、搬送方向の直交する水流が中空シャフトの一端がシャフトの内部に流れ込むので、シャフト内部の洗浄も促進される。
【発明の効果】
【００１６】
このような構成によれば、ゴルフクラブのシャフトのような中空のシャフトを効率良く洗浄することができる洗浄装置が提供される。
【発明を実施するための最良の形態】
【００１７】
本発明の好ましい実施形態の洗浄装置１の構成を図面に沿って詳細に説明する。洗浄装置１は、両端が開放した中空シャフトであるゴルフクラブ用のシャフトを洗浄するための洗浄装置であり、図１は、洗浄装置１の概略的な構成を示す模式的な斜視図である。
【００１８】
図１に示されているように、洗浄装置１は、洗浄水によりシャフトＳを洗浄する洗浄槽２を備えている。洗浄槽２は、上端が開放した略直方体形状を有している。洗浄装置１は、洗浄槽２の長手方向一端側（上流側）に設けられ洗浄するシャフトＳを１本づつ洗浄槽２に供給する供給機構４と、洗浄槽２内に配置され洗浄槽２の一端部に供給されたシャフトＳを洗浄槽の他端部に搬送する搬送機構６と、洗浄槽２の長手方向他端側（下流側）に設けられ洗浄槽で洗浄されたシャフトＳを乾燥させる乾燥機構８（図１には示さず）とを備えている。洗浄槽２には、搬送機構６の下半分程度が浸る量の洗浄水Ｗが入れられる。
【００１９】
シャフト供給機構４は、投入された複数本の洗浄前のシャフトＳを収容する収容部と、収容部に収容されているシャフトＳを洗浄槽２内の搬送機構６に向けて順次、送り出す送り出し手段を備えている。送り出し手段は、一対のガイドレール１０、１０と、各ガイドレール１０、１０の下方から上方に向かって間欠的に突出する棒状のストッパ１２、１２とを備えている。ストッパ１２は、各ガイドレールに対して上下２カ所に配置されているが、図１では１ヶ所のみを示す。
【００２０】
一対のガイドレール１０、１０は、シャフトＳの長さより短い間隔で、洗浄槽２側が低くなるように傾斜して平行に配置されている。ガイドレール１０、１０の上端は、洗浄前のシャフトＳを収容する収容部に接続されている。このような構成により、収容部から１本づつ送り出されるシャフトＳが、ガイドレール１０、１０が延びる方向と直交するようにガイドレール１０、１０に載せられ、この状態でガイドレール１０、１０上を洗浄層２に向かって転がり落ちる。
【００２１】
収容部に収容されているシャフトＳは、水平に配置された板状物（図示せず）によって、１本ずつ、ガイドレール１０、１０の上端と同じ高さまで押し上げられることにより、ガイドレール上に送り出される。
【００２２】
ストッパ１２は、上端部がガイドレール１０上に突出した上方位置と、上端部がガイドレール１０の下方に位置する下方位置との間で間欠的に上下動可能に構成されている。ストッパ１２は、上方位置では、ガイドレール１０上の転がり落ちてくるシャフトＳを停止させる。従って、ストッパ１２の間欠的な上下動により、シャフトＳは、洗浄槽２に間欠的に送り出される。
【００２３】
搬送機構６は、洗浄槽２内に平行に配置された左右一対の無端の搬送ベルト１４、１４と、搬送ベルト１４を回転駆動させる駆動機構（図示せず）とを備えている。
図１に示されているように、２本の搬送ベルト１４、１４は、洗浄するシャフトＳの長さより短い間隔で、洗浄槽２の幅方向に並んで２本配置されている。各搬送ベルト１4は、駆動機構により矢印Ａで示される方向に回転駆動され、シャフトＳを洗浄槽２の一端側から他端側の乾燥機構８に向けて搬送するように構成されている。駆動機構は、搬送ベルト１４、１４を、１サイクルタイム（１本のシャフトＳが送り出される時間である約１１秒）あたり、２５．４ｍｍ移動するように間欠的に駆動する。
【００２４】
搬送ベルト１４の外表面には、シャフトＳを受け入れるシャフト受け部１６、１６が、搬送ベルトの駆動方向に沿って一定間隔（本実施態様では約２４ｍｍ間隔）をおいて取付けられている。シャフト受け部１６は、図２に示されているように、略Ｕ字状の断面形状を有し、搬送ベルト１４の駆動方向に直交する方向に向いたシャフトＳを受け入れることができるように構成されている。シャフト受け部１６は、可撓性を有する一対の立ち上がり部１８、１８を備え、この一対の立ち上がり部１８、１８間にシャフトＳを挟持できるように構成されている。上述したように、シャフト受け部は、一定間隔（本実施態様では約２４ｍｍ間隔）をおいて配置されているので、隣接するシャフト受け部１６に受け入れられたシャフトＳは間隔をおいて搬送ベルト１４上に配置されることになる。
【００２５】
また、左右の搬送ベルト１４の各シャフト受け部１６は、洗浄槽２の幅方向に整列するように配置されている。この結果、幅方向に整列した一対のシャフト受け部１６によって１本のシャフトＳが搬送ベルト１４の駆動方向の直交する方向に支持されることになる。
【００２６】
搬送ベルト１４は、供給機構４のガイドレール１０を転がり落ちてくるシャフトＳを、シャフト受け部１６に収容されることができるように、洗浄槽２内で配置されている。搬送ベルト１４の下方には、複数の案内板２０、２０が配置されている。案内板２０は、金属製の板部材を搬送ベルト１４に沿って直立状態で配置したものであり、案内板２０の上端が搬送ベルト１４のシャフト受け部２４の収容されたシャフトＳの搬送経路を構成する。
【００２７】
上述したように、搬送ベルト１４は、矢印Ａで示される方向に回転駆動されるので、搬送ベルト１４は、洗浄槽２の一端でシャフト受け部１６内にシャフトＳを受け入れると、洗浄槽２内の洗浄水の中に入る。シャフト受け部１６に収容されたシャフトは、案内板２０の上端に沿って洗浄槽２の他端方向に搬送される（図３）。このように、シャフト受け部１６に受け入れられたシャフトＳは洗浄槽２の他端まで、洗浄水Ｗ中を搬送されることになる。
【００２８】
駆動機構２０は、シャフト供給機構４のストッパ１２の間欠的に上下動に同期して、間欠的に搬送ベルトを回転駆動させるように構成されているので、シャフト供給機構４から１本ずつ供給されてくるシャフトＳは、順次、搬送ベルト１４の各シャフト受け部１６の立ち上がり部分１８、１８の間に挟持される。
【００２９】
洗浄槽２中には、洗浄槽２の洗浄水内に超音波を発生させる超音波発生装置２２と、洗浄槽２中の洗浄水を、搬送ベルトの搬送方向に直交する方向に流れさせる水流発生手段２４とが配置されている。
超音波発生装置２２は、２８ＫＨｚの超音波を洗浄水中に照射するように構成されている。また、水流発生手段２４は、搬送ベルト１４によって洗浄槽２内を搬送されるシャフトＳの内部に洗浄水を流入させることができるように構成され、本実施形態では、シャフトＳ内での洗浄水の平均流速が毎秒１ｍ程度になるように構成されている。
【００３０】
乾燥機構８は、洗浄槽２の他端側に配置された払い出しプレートによってシャフト受け部１６から取り外され、案内板２６上を転がってきた洗浄済みシャフトＳに、摂氏１１０ないし１４５度の熱風を吹きつける。熱風は、シャフトＳの長手方向に沿って流れるようにシャフトＳに吹きつけられるので、シャフトＳの内部にも熱風が流れ込み、シャフトＳの内部も確実に乾燥させられる。
【図面の簡単な説明】
【００３１】
【図１】洗浄装置の搬送機構の概略的な構成を示す斜視図である。
【図２】搬送ベルトを構成するアタッチメントの構成を示す斜視図である。
【図３】搬送ベルトによるシャフトの搬送状態を説明する洗浄槽の模式的な側面図である。
【符号の説明】
【００３２】
Ｓ：シャフト
１：洗浄装置
２：洗浄槽
４：供給機構
６：搬送機構
８：乾燥機構
１０：ガイドレール
１２：ストッパ
【図１】
2006142164.tif 000003
【図２】
2006142164.tif 000004
【図３】
2006142164.tif 000005